(57)【要約】【課題】使用者がリラックスできる体勢で液体を顔に吐水でき、この液体が循環されることで所望の時間液体を吐水し続けることの可能な美容システムを提供すること。【解決手段】美容システムは、所定の液体を送液する送液管４１と、前記送液管４１により送液された前記所定の液体を吐出させる複数の吐出口２０を有すると共に前記複数の吐出口２０が水平方向に所定間隔で配置されるよう使用者の額に装着される液吐出部２と、前記液吐出部２の垂直下方側に配置され、前記液吐出部２から吐出されると共に前記使用者の顔面をつたって流れた前記所定の液体を捕集する捕集部３と、前記捕集部３により捕集された前記所定の液体を送液する集液管４２と、前記集液管４２により送液された前記所定の液体を前記送液管４１から前記液吐出部２に送液させる液循環部４と、を備える。【選択図】図１
2009160077.tif 000002
【特許請求の範囲】
【請求項１】
所定の液体を送液する送液管と、
前記送液管により送液された前記所定の液体を吐出させる複数の吐出口を有すると共に、前記複数の吐出口が水平方向に所定間隔で配置されるよう使用者の額に装着される液吐出部と、
前記液吐出部の垂直下方側に配置され、前記液吐出部から送出されると共に前記使用者の顔面をつたって流れた前記所定の液体を捕集する捕集部と、
前記捕集部により捕集された前記所定の液体を送液する集液管と、
前記集液管により送液された前記所定の液体を前記送液管から前記液吐出部に送液させる液循環部と、
を備える美容システム。
【請求項２】
前記捕集部は、装着状態において液体を捕集する漏斗状となる凹部と、該凹部の側壁を構成する側壁部と、前記側壁部の一部が延出した平坦部と、を備え、
前記平坦部には装着時に前記使用者の首が挿通して配置される略円形状の装着穴が形成され、
前記凹部の底端部には、前記集液管と接続される捕集口が配置される請求項１記載の美容システム。
【請求項３】
装着状態において前記装着穴の外周を覆う被覆部をさらに有し、
前記捕集部は、非装着状態において前記外周に放射状に形成されて前記使用者の首の寸法に応じて前記外周の寸法を調整する複数の切り込みを有し、
前記複数の切り込みのうち一の切り込みは、前記平坦部の外縁まで連続して形成され、該一の切り込みを挟んだ一方と他方とには接合部材が配置される請求項２記載の美容システム。
【請求項４】
前記使用者の顔面に沿うように装着されるマスクをさらに有し、
前記マスクは、装着した状態で目に対応する部分に前記顔面の縦方向に延びるように形成される眼部切れ部を有する請求項１から３いずれか記載の美容システム。
【請求項５】
前記マスクは、
装着時に前記使用者の鼻孔に対応する部分において、前記顔面の幅方向に延びるように形成される鼻部切れ部と、
前記鼻部切れ部の前記マスクにおける前記額側に配置される第１端部側に配置され前記使用者の鼻の形状に沿って変形可能な可撓性部材と、
前記使用者の鼻の突端部を越えて前記第１端部の反対側である第２端部側に延出するヒサシ状部材と、
を備える請求項４記載の美容システム。
【発明の詳細な説明】
【技術分野】
【０００１】
本発明は、美容システムに関する。より詳細には、液体を循環させて繰り返し吐水する美容システムに関する。
【背景技術】
【０００２】
従来より、顔面の皮膚の洗浄や保湿、血流増加などの効果を得る目的のために、顔面に液体を吐水又は噴霧する装置やシステムが知られている。これらの装置には、装置を手で保持して顔に吐水又は噴霧するものや、装置から垂直方向上方に向かって吐水又は噴霧される液体に顔面が当たるよう、顔面を下方に向けて使用するものが知られている（例えば、特許文献１）。顔面を下方に向けて使用するのは、使用者が顔面に吐水される液体に対して、呼吸をするために適宜液体から顔面を離すことができるようにするためである。
【０００３】
しかしながら、特許文献１に記載のシャワー装置によれば、使用者は装置の使用中ずっと下を向いていなければならない。また、顔に液体を吐水している間は呼吸を止めていなければならない。使用者は不自然な体勢を取り続け、呼吸を止めるために、身体全体がリラックスすることができないという問題があった。また、特許文献１のシャワー装置では、液体を貯水する貯水部に貯水できる液体の量が限られており、顔に液体を吐水することができる時間もかぎられるという問題があった。
【特許文献１】特開平９−２７１４１２号公報
【発明の開示】
【発明が解決しようとする課題】
【０００４】
上記のような問題に鑑み、本発明は、使用者がリラックスできる体勢で液体を顔に吐水でき、この液体が循環されることで所望の時間液体を吐水し続けることの可能な美容システムを提供することを目的とする。
【課題を解決するための手段】
【０００５】
（１）  所定の液体を送液する送液管と、前記送液管により送液された前記所定の液体を吐出させる複数の吐出口を有すると共に、前記複数の吐出口が水平方向に所定間隔で配置されるよう使用者の額に装着される液吐出部と、前記液吐出部の垂直下方側に配置され、前記液吐出部から送出されると共に前記使用者の顔面をつたって流れた前記所定の液体を捕集する捕集部と、前記捕集部により捕集された前記所定の液体を送液する集液管と、前記集液管により送液された前記所定の液体を前記送液管から前記液吐出部に送液させる液循環部と、を備える美容システム。
【０００６】
（２）  前記捕集部は、装着状態において液体を捕集する漏斗状となる凹部と、該凹部の側壁を構成する側壁部と、前記側壁部の一部が延出した平坦部と、を備え、前記平坦部には装着時に前記使用者の首が挿通して配置される略円形状の装着穴が形成され、前記凹部の底端部には、前記集液管と接続される捕集口が配置される（１）記載の美容システム。
【０００７】
（３）  装着状態において前記装着穴の外周を覆う被覆部をさらに有し、前記捕集部は、非装着状態において前記外周に放射状に形成されて前記使用者の首の寸法に応じて前記外周の寸法を調整する複数の切り込みを有し、前記複数の切り込みのうち一の切り込みは、前記平坦部の外縁まで連続して形成され、該一の切り込みを挟んだ一方と他方とには接合部材が配置される（２）記載の美容システム。
【０００８】
（４）  前記使用者の顔面に沿うように装着されるマスクをさらに有し、前記マスクは、装着した状態で目に対応する部分に前記顔面の縦方向に延びるように形成される眼部切れ部を有する（１）から（３）いずれか記載の美容システム。
【０００９】
（５）  前記マスクは、装着時に前記使用者の鼻孔に対応する部分において、前記顔面の幅方向に延びるように形成される鼻部切れ部と、前記鼻部切れ部の前記マスクにおける前記額側に配置される第１端部側に配置され前記使用者の鼻の形状に沿って変形可能な可撓性部材と、前記使用者の鼻の突端部を越えて前記第１端部の反対側である第２端部側に延出するヒサシ状部材と、を備える（４）記載の美容システム。
【発明の効果】
【００１０】
本発明によれば、使用者がリラックスできる体勢で液体を顔に吐水でき、この液体が循環されることで所望の時間液体を吐水し続けることの可能な美容システムが提供される。
【発明を実施するための最良の形態】
【００１１】
以下、本発明の実施形態について図面を参照しながら説明する。なお、本発明の実施形態は、下記の実施形態に何ら限定されることなく、本発明の技術的範囲は、これに限定されるものではない。
【００１２】
１．全体構成
本発明による美容システム１は、液体を送液する送液管４１と、送液管４１により送液された液体を吐出させる複数の吐出口２０を有しこの吐出口２０が水平方向に所定間隔で配置されるよう使用者の額に装着される液吐出部２と、液吐出部２の垂直下方側に配置され、液吐出部２から吐出されると共に使用者の顔面をつたって流れた液体を捕集する捕集部３と、捕集部３により捕集された液体を集めて送液する集液管４２と、集液管４２により送液された液体を、送液管４１から液吐出部２に送液させる液循環部４と、を備える。
【００１３】
２．液体
本実施形態において、「液体」とは、水を所定の温度に温めた湯に炭酸ガスを混合した炭酸水である。しかしながら、「液体」はこれに限られず、美容効果を有する所望の成分を混合した液体であってよい。炭酸水を用いることにより、血管が拡張して血流が増加し、新陳代謝が高まるなどの美容効果が得られる。
【００１４】
炭酸ガスの濃度は、１０００ｐｐｍから１２００ｐｐｍの範囲であり、湯の温度は３５度から４０度以下の範囲である。使用者が快適に感じることができれば、温度は特に限定されない。炭酸ガスを混合した炭酸水は、体感温度が１度から２度程度高く感じられるため、例えば３８度から３９度の範囲において、使用者は入浴時のような快適な温かさを感じる。また、湯が温かいことで、血管拡張効果も相乗効果を得ることができる。
【００１５】
３．液循環部
図１に示すように、本発明の液循環部４は循環装置５である筐体に収容され、ポンプ４０と、液体を混合する混合部５０と、液体を液吐出部２に送液する送液管４１と、捕集部３に接続され集められた液体を混合部５０に送液する集液管４２と、を備える。循環装置５の内部において、送液管４１及び集液管４２は、後述する混合部５０に接続される。混合部５０とポンプ４０とは接続されているため、送液管４１及び集液管４２は、混合部５０を介してポンプに間接的に接続される。該ポンプ４０に公知の動力手段及び制御手段が接続され、ポンプ４０が作動することにより、液体が循環する。
【００１６】
送液管４１及び集液管４２は、内部が空洞の可撓性の管である。素材は特に限定されないが、樹脂製であると、金属製の管よりも軽量で、美容システム１の使用者にかかる重さが減るため好ましい。送液管４１及び集液管４２は、循環装置５内部に配置される流量を監視するセンサと、このセンサに連動して流量を調節できる流量調節つまみ（図示せず）と、に接続される。
【００１７】
集液管４２の、後述する捕集部３の捕集口３４と接続されている側には、テープ又はリボンなどの帯状部材４３が配置される。帯状部材４３の長さは５ｃｍから１０ｃｍの範囲、幅は０．５ｃｍから１ｃｍの範囲である。帯状部材４３は、粘着性の粘着テープや粘着材で集液管４２の捕集口３４近傍に貼り付けられ、固定される。集液管４２の管の内部に帯状部材４３が配置されることにより、集液管４２を通る湯の量が多いときに、液体がうねることで発生する音が軽減される。
【００１８】
循環装置５には、液化炭酸ガスのボンベ６と、湯を入れるタンク７とが接続される。循環装置５の内部には、タンク７及びガスボンベ６と接続される混合部５０が配置される。混合部５０において、タンク７から供給される湯とボンベ６から供給される炭酸ガスが混合される。混合部５０は、ポンプ４０と接続されている。混合部５０において炭酸ガスが大気圧以上の圧力で供給され、所定の濃度の炭酸水が作製される。
【００１９】
混合部５０には、炭酸水を使用に適した温度及び濃度に調整する温度調節機構５１と濃度調節機構５２とが接続される。また、混合する時間を設定するタイマー５３と接続される。温度調節機構５１は、温度センサと、熱交換機又はヒーターとを有する。濃度調節機構５２は、ガス供給装置を有する。これらの機構は、従来公知のものを使用してよい。炭酸水は、使用する湯の量に応じて炭酸ガスを混合する必要があるため、混合する時間を予め設定する。例えば、タンク７に５リットルの湯を入れ、最初に３分間炭酸水を精製する。その後、送液管４１から炭酸水を送液し、後述するシャワーヘッド２の吐出口２０から吐出した後は、１分間炭酸水の精製を行い、１分間停止して、これを繰り返す。周期はこれに限られず、所望の周期を設定してよい。混合する時間に応じて濃度が調節される。温度調節機構５１、濃度調節機構５２、タイマー５３は、循環装置５の上部表面に配置されるボタンやダイヤルなどと電気的に接続されて、使用者により適宜温度、濃度、運転時間が変更される。
【００２０】
炭酸水は、使用者の顔面を伝って流れ捕集部３により集められた状態では、空気に触れて炭酸ガスの濃度が下がっており、温度も下がっている。このときの濃度は、例えば８００ｐｐｍ程度である。このため集液管４２を通った使用後の炭酸水は混合部５０に送られ、混合部５０において温度を検知され、温められ、炭酸ガスを追加される。
【００２１】
循環装置５には、さらに、外部操作ボタン５４が接続される。外部操作ボタン５４は、少なくともポンプ４０の制御手段と接続されており、使用者が炭酸水の吐出を止めたい時に押すことができる。なお、外部操作ボタン５４は、公知の手段により任意の機能を備えてよい。
【００２２】
タンク７には、美容システム１に使用する湯を軟水にするため、イオン交換樹脂７１を入れてもよい。炭酸ガスと混合する湯を軟水に変えて使用することにより、水道水に含まれるマグネシウムイオンやカルシウムイオンなどが除去され、湯を皮膚に流し続けても、使用者が刺激を感じる可能性が低減される。
【００２３】
４．液吐出部
図２に示すように、本実施形態に係る液吐出部は、使用者の額に装着できる横長状のシャワーヘッド２である。シャワーヘッド２には、炭酸水を使用者の顔に向けて吐出する複数の吐出口２０が、水平方向に所定間隔で配置されている。複数の吐出口２０は、シャワーヘッド２の使用者の額に接する面２１に形成されている。しかしながら、シャワーヘッド２の形状及び複数の吐出口２０が形成される位置や形状は、使用者の顔に向けて吐出することができれば、特に限定されない。例えば、シャワーヘッド２に使用者の顔に向けて突出する複数の突起を形成し、この突起の先端にそれぞれ吐出口２０を形成してもよい。
【００２４】
シャワーヘッド２は送液管４１に接続される。送液管４１の先端に溝を形成したねじ状の取り付け具を、シャワーヘッド２に形成された取り付け穴と嵌め合わせて接続する。送液管４１から送られた炭酸水が取り付け口２３部分で漏れなければ、接続は、従来公知のいかなる方法を用いてもよい。
【００２５】
シャワーヘッド２には、シャワーヘッド２を使用者の頭部に固定する固定部材２２が接続される。固定部材２２は、例えばシャワーヘッド２の長手方向の両端部から延びて環状に形成されるゴムバンドのような弾性部材である。このゴムバンドの輪を使用者の頭に被せることで、シャワーヘッド２が使用者の額の上に固定される。固定部材２２は、ゴムバンドが伸縮することにより使用者の頭部の外周に適合する。このゴムバンドには、長さを調節する部材が取り付けられてもよい。固定部材２２と使用者の頭部や額との間には、適宜クッションとなる弾性部材２４を挟んで位置を調整する。
【００２６】
５．捕集部
図３又は図４に示すように、美容システム１は、液吐出部２の垂直方向下方に配置される捕集部３を備える。捕集部３は、装着時において漏斗状となる凹部３０を有する。捕集部３は、この凹部３０の側壁を構成し、液体を受け止めて飛散を防止する側壁部３１と、側壁部３１の一部が延出した平坦部３２を有する。平坦部３２には、装着時に使用者の首が挿通して配置される略円形状の装着穴３００が形成される。漏斗状の凹部３０の底端部３３には、集液管４２と接続される捕集口３４が配置される。捕集部３は、液吐出部２から吐出された炭酸水及び使用者の顔面をつたって流れた炭酸水を捕集する。
【００２７】
凹部３０は、装着された状態で、使用者の胸部近傍に配置される。側面の断面視において側壁部３１は、底端部３３から側壁部３１の外縁３１０までの長さの方が、平坦部３２から側壁部３１の外縁３１０までの長さよりも長い。捕集部３は弾性変形可能な柔らかい素材で形成されており、捕集部３の外縁３１０が上方に向かって反っている。側壁部３１は、底端部３３側から平坦部３２側に向かって徐々に面積が小さくなる。このような構成により、垂直方向上方から流れてきた炭酸水を集めてこぼすことなく捕集口３４から集液管４２に流すことができる。
【００２８】
図４に示すように、漏斗状の凹部３０の側壁部３１の一部が延出され、平坦部３２が形成される。平坦部３２は、装着状態において、使用者の肩から襟ぐり（デコルテ）部分を覆う。平坦部３２において、装着穴３００は、装着された状態の水平方向と平行する幅方向Ｈの略中央に形成される。装着穴３００には、着用された際に使用者の首が挿通する。
【００２９】
装着穴３００の外周には、装着されていない状態において、装着穴３００から放射状に形成される複数の切り込み３０１が形成される。捕集部３は、上述の通り柔軟に変形可能な素材で形成されているため、使用者の首の外周寸法に合わせて、切り込み周辺の装着穴３００の外周が変化する。また、人間の首は肩に対して直交する方向に延びているが、切り込み３０１とこれに隣接する切り込み３０１の間に形成される可動片３０２がこれに隣接する可動片３０２と重なったり離れたりすることによって、首に密着し、使用者の首の外周の寸法に適合する。
【００３０】
放射状に形成される複数の切れ込み３０１のうち捕集部３の幅方向Ｈの略中央に位置する一の切り込み３０３は、捕集部３の捕集口が形成される側と反対側の外縁３１０まで連続して形成されている。そして、この一の切り込み３０３を挟んだ平坦部３２の一方と他方に接合部材３０４が配置される。
【００３１】
本実施形態において接合部材３０４は、一方がフック状、他方がループ状に形成されて、フックをループに係合させるフック・アンド・ループファスナーである。したがって、フック状の接合部材３０４ａが平坦部３２の裏側（使用者の衣服と接する側）に、ループ状の接合部材３０４ｂが平坦部３２の表側（炭酸水が流れる側）に配置される。しかしながら、接合部材３０４はこれに限定されず、スナップボタンなど従来公知の手段で接合されてよい。一の切り込み３０３を挟んで配置された接合部材３０４ａ、３０４ｂを互いに合わせるように重ねて接合すると、接合部材３０４が配置された平坦部３２の一部は装着穴３００を内側に、外縁３１０を外側とし、外縁３１０が上方に向かって反るように湾曲する。このため、装着状態においては使用者の首の背面を覆うように立ち上がり、飛散する炭酸水が衣服などにこぼれることを防止する。
【００３２】
美容システム１はさらに、装着状態において装着穴３００の外周を覆う被覆部材８を備える。被覆部材８は、装着穴３００が切り込み３０１によって最大限広がった状態の外周よりも長い長さと、外周を覆うために十分な幅を有する。被覆部材８は、使用者の顎から首元をより広く覆うように略三角形状であるが、形状は特に限定されない。また、被覆部材８は、顔面を伝った炭酸水が、襟元から使用者の衣服にしみこむことを防止するため、防水性の素材で作製される。使用者の衣服の襟元の形状や、首の太さの個人差に対応できるよう、柔軟に変形可能な素材である。首への密着を可能とするため、ゴム製などで薄い形状のものが好ましい。被覆部材８は、上述した切り込み３０１が形成された装着穴３００に使用者の首が挿通された後、首と装着穴３００の外周とを覆う。
【００３３】
６．マスク
マスク９は、顔面を覆うことが可能な形状に形成される。使用者の頬から顎、顎から首に亘る部分を十分に覆うことができるよう、マスク９の頬に対応する部分９ｃは、顔面の横幅方向ＷＤ外側へ膨らむように広がっている。使用者がマスクを着用し、額部分にシャワーヘッド２を装着して炭酸が顔面を伝うように流すと、マスクと顔面との間に炭酸水が一時的に保持される。このため、マスクを着用せずに炭酸水を流す場合よりも、皮膚と炭酸水が接触する時間と面積が増加する。したがって、本発明の美容システムを使用することによる美容効果がより高まる。
【００３４】
マスクの額側の端部を第１端部９ａ、顎側の端部を第２端部９ｂとした場合、マスクの目に対応する部分には、第１端部９ａ側と第２端部９ｂを結ぶ方向である縦方向ＬＤに眼部切れ部９０が形成される。眼部切れ部９０は非装着状態では幅を有さないスリットであるが、装着された状態では、顔面が曲面であるためスリットが開いて隙間が開く。眼部切れ部９０が縦方向に形成されていることにより、炭酸水が額に装着されたシャワーヘッド２から垂直方向下方に流れても、眼部切れ部９０が横幅方向に広がることがない。
【００３５】
炭酸水などの液体による美容効果を得たいと願う使用者は、目じりや目元の皺やたるみを防止したいと考えている場合が多い。このため、目に対応する部分に従来のマスクのように穴が開いていると、目じりや目元に液体が保持できないばかりでなく、液体が垂直方向に流れ落ちることによって、液体の自重で穴が拡大されてしまう。この点、本実施形態によれば、眼部切れ部９０が縦方向に形成されているため、目の周辺においても炭酸水の効果を高めることができる。目の周辺は、額や鼻、頬に対して窪んだ部分が多いが、窪んだ部分とマスク９の間に、窪んでいない部分よりも炭酸水を多く保持することができる。また、切れ目が形成されていることにより、使用者は、視界が塞がれているという恐怖感、閉塞感を感じずに、リラックスして美容システム１を使用することができる。
【００３６】
図５に示すように、マスク９の、装着時に使用者の鼻孔に対応する部分には、顔面の横幅方向に延びるように鼻部切れ部９００が形成される。鼻部切れ部９００は非装着状態では幅を有さないスリットである。鼻部切れ部９００の第一端部９ａ側に、鼻部切れ部９００に沿うように可撓性部材９０１が配置される。可撓性部材９０１は、皮膚表面に沿うよう平たい形状であることが好ましいが、形状を変形させた後、変形した形状を維持できるものであれば特に限定されない。例えば針金や樹脂などの従来公知の部材であってよい。可撓性部材９０１は、使用者の鼻の形状に合わせて変形される。
【００３７】
マスク９を装着しない状態において、鼻部切れ部９００と可撓性部材９０１と鼻部切れ部９００の第２端部９ｂ側とを含むマスクの部分に、面状のヒサシ（庇）状部材９０２が配置される。本実施形態においては、ヒサシ状部材９０２はマスク９及び可撓性部材９０１の上に配置されて、可撓性部材９０１と共にマスク９に熱融着により接着される。ヒサシ状部材９０２は、弾性変形可能な可撓性部材である。マスク９が装着されると、可撓性部材９０１が鼻の形状に合わせて変形されると共に、ヒサシ状部材９０２も変形する。具体的には、図６に示すように、ヒサシ状部材９０２は鼻の凸状部に合わせて略山型に変形し、使用者の鼻の突端部を越えて第２端部９ｂ側に延出する。
【００３８】
ヒサシ状部材９０２は、鼻部切れ部９００の第２端部９ｂ側をも覆う面状の形状であるため、マスク９が装着されると、鼻部切れ部９００は、装着後使用者の鼻孔の部分に配置され、ヒサシ状部材９０２は第２端部９ｂ側に突出する。このような構成により、垂直方向上方から下方へ流れる炭酸水が、鼻孔に入り込むことを防止できる。したがって、使用者は、炭酸水を顔に流したまま呼吸をすることができる。
【００３９】
マスク９の唇に対応する部分には、縦方向ＬＤに延びるように唇切れ部９０３が形成されている。詳細には、鼻部切れ部９００から第２端部側に離間した位置に、鼻部切れ部９００の横幅方向ＷＤの略中央から第２端部側へ縦方向ＬＤに延びるように形成される。唇切れ部９０３は非装着状態では幅を有さないスリットである。使用者は口から息を吐くこともあるが、スリット部分から息をマスクの外へ吐けるため、呼吸が阻害されない。唇切れ部９０３が縦方向ＬＤに形成されるので、眼部切れ部９０と同様に、炭酸水が上方から下方に顔面を伝っても唇切れ部９０３のスリットが拡大することがない。また、使用者は唇周辺に生じる顔の皺について血行促進などによる美肌、美容効果を期待することが多いが、唇の周囲においても炭酸水が十分に保持される。
【００４０】
マスク９の素材は、液体を保持しやすく、液体が流され続けても崩壊しない強度を有する素材であれば特に限定されないが、綿を含む不織布が軽量で肌触りがよく、好ましい。
【００４１】
図６は本実施形態に係る美容システム１を使用している使用者の胴体の側面図である。送液管４１から送られた炭酸水は、シャワーヘッド２から使用者の顔面に吐出される。吐出された炭酸水は、マスク９及び顔面を伝って下方へ落ちる。下方へ落ちた炭酸水は、捕集部３により受け止められる。捕集部３の平坦部３２は、装着状態において下方へ傾斜するため、平坦部３２に落ちた炭酸水は捕集部の凹部３０側へ集められる。炭酸水は、凹部３０において底端部３３から接続される捕集口３４を通って集液管４２により液循環部４へ送液される。
【００４２】
炭酸水が顔を伝う間、マスク９及び顔面の間に炭酸水は一時的に保持される。マスク９は、眼部切れ部９０が縦方向ＬＤに形成されており、使用者の眼部近傍とマスク９の間には、炭酸水が額や頬近傍と比べて多く保持される。マスク９は、鼻部切れ部９００が形成されているため、使用者の鼻の突端から鼻孔にかけての部分が開口となり、この部分から使用者は鼻で呼吸をする。マスク９の可撓性部材９０１が変形し、マスクの鼻部分が使用者の鼻の凹凸に沿うように変形される。使用者の鼻近傍を伝った炭酸水は、鼻部切れ部９００から鼻の突端を越えてマスクの第２端部９ｂ側へ延出するヒサシ状部材９０２を伝って、ヒサシ状部材の突端から下方へ垂れ落ちる。マスク９は、唇切れ部９０３が縦方向ＬＤに形成されており、使用者の唇の近傍とマスク９の間には、炭酸水が額や頬近傍と比べて多く保持される。
【００４３】
図７は、本実施形態の美容システム１における炭酸水の循環の手順を示すブロック図である。タンク７に湯を入れ、炭酸ガスのボンベ６を循環装置５に接続し（イ）、混合部５０において炭酸水を作製する（ロ）。混合部５０において、温度調節機構５１及び濃度調節機構５２により濃度と温度を調節する（ハ、ニ）。適度に調節された炭酸水を、ポンプ４０により送液管４１を通してシャワーヘッド２へ送液（ホ）し、シャワーヘッド２から使用者の顔面へ炭酸水を吐出する（ヘ）。吐出の際には、流量調節つまみにより流量を調節する（ト）。使用者の顔面へ吐出された炭酸水は、顔面を伝い、捕集部３に落ちる。捕集部３により炭酸水を受けて集め（チ）、集液管４２から液循環部４へ送液（リ）される。液循環部４に送られた炭酸水は、再び混合部５０において、濃度と温度を調整される（ハ、ニ）。調整された炭酸水は、ポンプ４０により送液管４１を通してシャワーヘッド２へ送液（ホ）される。このようにして、炭酸水は循環し、使用者は美容システム１を任意の時間の間使用し続けることができる。
【００４４】
本発明によれば、シャワーヘッド２を使用者の額に装着して顔面に垂直方向上方から下方に向けて炭酸水を吐出することができる。このため、使用者は不自然な体勢をとることなく、例えばリクライニングチェアなどに座ってリラックスした状態で美容システム１を使用することができる。
【００４５】
また、美容システム１は、吐出した炭酸水を捕集する捕集部３を備え、捕集部から炭酸水を集めて液循環部４に送液し、炭酸水を循環させて使用するため、使用者は所望の時間美容システム１を使用できる。炭酸水は、皮膚に接触している時間が長ければ長いほど血流拡張効果が高まる。したがって、長時間使用可能となることで、美容上の効果も向上する。
【００４６】
美容システム１は、マスク９を備える。顔面を伝う炭酸水は、マスク９と顔面との間に一時的に保持される。このため、皮膚と炭酸水との接触時間及び接触面積が、マスク９を使用しない場合よりも増加し、美容効果が向上する。マスク９は、頬の部分が顎から首の付け根を覆うように膨らんだ形状を有している。このため、頬と首の付け根部分においても、炭酸水が保持される。
【００４７】
使用者の目に相当する部分には、スリット状の眼部切れ部９０がマスク９の縦方向ＬＤに延びるように形成される。縦方向ＬＤのスリット状であるため、使用者が美容効果を特に期待する目元や目尻近傍においても、マスク９と皮膚とが炭酸水を含んで密着し、炭酸水による血流促進、新陳代謝増加などの美肌効果が得られる。また、炭酸水が上方から下方へ流れ落ちても、スリットが拡大することがない。
【００４８】
使用者の唇に相当する部分には、スリット状の唇切れ部９０３がマスク９の縦方向ＬＤに延びるように形成される。縦方向ＬＤのスリットであるため、使用者が美容効果を特に期待する口角近傍、鼻と口との境目部分においても、マスク９と皮膚とが炭酸水を含んで密着し、炭酸水による血流促進、新陳代謝増加などの美肌効果が得られる。また、炭酸水が上方から下方へ流れ落ちても、スリットが拡大することがない。
【００４９】
マスク９は、使用者の鼻孔に対応する部分において、スリット状の鼻部切れ部９００を有する。そして、鼻部切れ部９００より額側の第１端部９ａ側に可撓性部材９０１が形成され、マスク９の鼻に対応する部分が、使用者の鼻の凹凸に沿うように変形する。装着状態において、使用者の鼻の突端部から鼻部切れ部９００の第１端部９ａと反対側の第２端部９ｂ側に、ヒサシ状部材９０２が延出する。このヒサシ状部材９０２により、鼻の上を流れた炭酸水が鼻孔に入り込むことなく、下方に垂れ落ちる。鼻部切れ部９００の開口により、使用者は炭酸水を顔に流したまま鼻呼吸をすることができるため、美容システム１をリラックスした体勢で長時間使用することができる。
【００５０】
なお、上述の実施形態ではタンク７により湯を供給するが、循環装置５に内部のポンプ４０に接続される外部タンク入水口と外部タンク出水口を設け、例えば浴槽などの大型のタンクから湯を供給するようにしてもよい。
【００５１】
また、固定部材２２はシャワーヘッドを使用者の額の上に固定することができれば、上記の形態に限られず、従来公知の技術を用いてよい。例えば、シャワーヘッド２の長手方向の両端部からシャワーヘッド２に対して直交する方向に延びる平坦部状の棒状部材がそれぞれ取り付けられる。この棒状部材で使用者の頭を挟むようにすることで、シャワーヘッド２が使用者の額の上に固定されてもよい。さらに、一方の固定部材と他方の固定部材に接続されて着用者の頭頂部に沿う固定部材を追加して配置してもよい。
【図面の簡単な説明】
【００５２】
【図１】本発明の美容システムの使用状態を示す斜視図である。
【図２】本実施形態における液吐出部を示す斜視図である。
【図３】本実施形態における捕集部を示す斜視図である。
【図４】本実施形態における捕集部を示す断面図である。
【図５】本実施形態におけるマスクを示す正面図である。
【図６】本発明の美容システムの使用状態を示す側面図である。
【図７】本発明の美容システムの使用の手順を示すブロック図である。
【符号の説明】
【００５３】
１      美容システム
２      液吐出部、シャワーヘッド
３      捕集部
４      液循環部
５      循環装置、筐体
６      ガスボンベ
７      タンク
８      被覆部材
９      マスク
９ａ    第１端部
９ｂ    第２端部
９ｃ    頬に対応する部分
２０    吐出口
２１    面
２２    固定部材
２３    取り付け口
２４    弾性部材
３０    凹部
３１    側壁
３２    平坦部
３３    底端部
３４    捕集口
４１    送液管
４２    集液管
４３    帯状部材
９０    眼切れ部
３００  装着穴
３０１  切り込み
３０２  可動片
３０３  一の切り込み
３０４ａ、３０４ｂ、３０４  接合部材
３１０  外縁
９００  鼻部切れ部
９０１  可撓性部材
９０２  ヒサシ状部材
９０３  唇切れ部
【図１】
2009160077.tif 000003
【図２】
2009160077.tif 000004
【図３】
2009160077.tif 000005
【図４】
2009160077.tif 000006
【図５】
2009160077.tif 000007
【図６】
2009160077.tif 000008
【図７】
2009160077.tif 000009